(57)【要約】【課題】レンズを保持する鏡枠を気密・水密構造を壊さずに拡径、収径変形しやすい構造に構成して、環境温度や接着剤の固化収縮等に原因して起こり得るレンズの光学的性質の変化を抑える。【解決手段】レンズ鏡胴は、物体の像を結像するレンズ１０と、レンズを内部に保持する筒状の鏡枠２０とを備える。鏡枠は、少なくともレンズを保持する範囲においてその内周面及び外周面のうちいずれか一方又は双方が、その表面上を中心軸ＡＸ回りに辿ったとき当該中心軸からの距離が変化する形状に形成されている。鏡枠の内周面とレンズの外周面１２との間に接着剤が充填される。鏡枠の内周面に対する均一な内圧又は鏡枠の外周面に対する均一な外圧の負荷に伴い、前記距離が変化する部位の曲げ変形が生じこれにより周方向に伸縮することで鏡枠の内周面が拡径、収径する機械的特性を有する。【選択図】図１
2014112121.tif 000002
【特許請求の範囲】
【請求項１】
物体の像を結像するレンズと、前記レンズを内部に保持する筒状の鏡枠とを備えるレンズ鏡胴であって、
前記鏡枠は、少なくとも前記レンズを保持する範囲においてその内周面及び外周面のうちいずれか一方又は双方が、その表面上を中心軸回りに辿ったとき当該中心軸からの距離が変化する形状に形成されたレンズ鏡胴。
【請求項２】
前記鏡枠の前記内周面と前記レンズの外周面との間に接着剤が充填されている請求項１に記載のレンズ鏡胴。
【請求項３】
前記距離の変化に伴い前記鏡枠の肉厚が変化する形状に形成された請求項１又は請求項２に記載のレンズ鏡胴。
【請求項４】
前記鏡枠の内周面に対する均一な内圧又は前記鏡枠の外周面に対する均一な外圧の負荷に伴い、前記距離が変化する部位の曲げ変形が生じこれにより周方向に伸縮することで前記鏡枠の前記内周面が拡径、収径する機械的特性に構成された請求項１から請求項３のうちいずれか一に記載のレンズ鏡胴。
【請求項５】
前記鏡枠の前記内周面と前記レンズの外周面との間に充填された接着剤の固化収縮に伴い、前記距離が変化する部位の曲げ変形が生じこれにより周方向に収縮することで前記鏡枠の前記内周面が収径する機械的特性に構成された請求項１から請求項３のうちいずれか一に記載のレンズ鏡胴。
【請求項６】
前記鏡枠の前記内周面と前記レンズの外周面との間に接着剤が充填されてなり、当該接着剤の固化収縮によって前記鏡枠に生じた応力が部位によって異なって分布している請求項１から請求項５のうちいずれか一に記載のレンズ鏡胴。
【請求項７】
前記鏡枠の前記内周面と前記レンズの外周面との間に接着剤が充填されてなり、当該接着剤の固化収縮によって前記鏡枠に生じた応力が部位によらず等しく分布している請求項１から請求項５のうちいずれか一に記載のレンズ鏡胴。
【請求項８】
前記距離が一定である前記中心軸回りの角度範囲を３６０°未満で有し、前記距離の変化がある角度範囲が局所的である形状に形成された請求項１から請求項７のうちいずれか一に記載のレンズ鏡胴。
【請求項９】
前記中心軸回りの３６０°の角度範囲に亘り前記距離の変化がある形状に形成された請求項１から請求項７のうちいずれか一に記載のレンズ鏡胴。
【請求項１０】
前記距離が変化する形状は、前記中心軸方向の全長に亘って形成されている請求項１から請求項９のうちいずれか一に記載のレンズ鏡胴。
【請求項１１】
前記距離が変化する形状は、前記中心軸方向に稜線を有する折り目状又は波目状である請求項１から請求項１０のうちいずれか一に記載のレンズ鏡胴。
【請求項１２】
前記レンズの外径が０．６ｍｍ以下に構成された請求項１から請求項１１のうちいずれか一に記載のレンズ鏡胴。
【請求項１３】
前記レンズはプラスティックレンズである請求項１から請求項１２のうちいずれか一に記載のレンズ鏡胴。
【請求項１４】
前記鏡枠は、前記プラスティックレンズの縦弾性係数より小さい縦弾性係数の材料で構成されている請求項１３に記載のレンズ鏡胴。
【請求項１５】
前記鏡枠は、前記プラスティックレンズの横弾性係数より小さい横弾性係数の材料で構成されている請求項１３に記載のレンズ鏡胴。
【請求項１６】
請求項１から請求項１５のうちいずれか一に記載のレンズ鏡胴を含み、
前記レンズによって結像される像が入力される像入力面が先端面に設けられた撮像ユニット又はイメージングファイバーが前記鏡枠に挿入され、当該像入力面が前記レンズに対向して配置されてなる像取得ユニット。
【請求項１７】
外径が１．０ｍｍ以下に構成された請求項１６に記載の像取得ユニット。
【発明の詳細な説明】
【技術分野】
【０００１】
本発明は、レンズ鏡胴及びこれを含んだ像取得ユニットに係り、特に細径の内視鏡を構成するレンズ鏡胴及び像取得ユニットに関する。
【背景技術】
【０００２】
生体の管腔内等に挿入されて生体組織を観察するために内視鏡が利用されている。内視鏡の先端構造として、観察対象の物体の像を結像するレンズと、その像が入力されるＣＣＤ（Charge Coupled Device、以下同じ）等の撮像素子又はイメージングファイバーを設置した構造が取り得る。撮像素子であれば、レンズにより結像された像を撮像素子で電気信号に変換した画像信号を伝送ケーブルにより体外に導き、イメージングファイバーであればレンズにより結像された像をそのままイメージングファイバーで伝送して体外に導き、画像処理装置を介して画像表示装置に表示し観察することができる。
内視鏡は被検査者の負担を軽減するために細径であることが好ましく、また卵管、胆管、膵管などに挿入される内視鏡にあっては、１ｍｍ程度以下の極細径である必要がある。
細径な内視鏡の場合、先端部に配置されるレンズは非常に微小径となるが、光学的性能等の観点からレンズに設けられる光学面はできるだけ大きくしたい。したがって、レンズの光学面の有効径がレンズ外径に近くてフランジ部が殆ど無いような形状のものとなる傾向にある。
【０００３】
レンズを鏡枠に挿着してレンズ鏡胴を構成し、レンズ鏡胴をレンズ撮像ユニット又はイメージングファイバーの先端部と接続して内視鏡等の像取得ユニットを構成する。レンズとしては、プラスティックレンズがガラスレンズに比べて安価に作製できることから良く使用される。
このとき、鏡枠にレンズを接着固定することが行われる。レンズの先端面及び後端面には光学面が配置されるから、レンズの外周面と鏡枠の内周面との間に接着剤を充填する。特に内視鏡用途では、気密・水密に構成するために接着剤は部分的でなくレンズの外周面と鏡枠の内周面との間に全周に亘って充填され、接着剤によってレンズと鏡枠との間を封止することが行われる。
レンズの外周面と鏡枠の内周面との間に充填された接着剤が固化収縮するとき、鏡枠が仮に変形しない場合で考えればわかるように、レンズは径方向外方に引っ張られて変形し応力が生じて光学的性質をも変化するという問題がある。
特にプラスティックレンズは変形し易く光学的性質の変化は著しくなる。また、レンズの光学面の有効径がレンズ外径に近いと、応力の影響が光学面に及び易い。
従来このような問題は、接着剤の固化時間や固化後の硬度、接着方法や接着剤の回り込み制御等により対策されていた。しかし、接着剤の開発時間や工数の増加、接着方法や塗布量の制御等の設計の要請により、製造方法の難度が高くなり、タクトタイムが長くなるという問題を含んでいる。
したがって、接着剤が固化収縮するときに、鏡枠がその内周面を径方向に収縮させるように変形し易いものが望まれる。また、鏡枠が変形しやすいことで熱応力対策にもなる。しかし、単に鏡枠の肉厚を薄くするだけでは必要な強度が達成できない。
特許文献１，２には、熱応力対策を施したレンズ鏡胴が記載されている。
【先行技術文献】
【特許文献】
【０００４】
【特許文献１】特開２００６−１７８３８２号公報
【特許文献２】特開２０１２−０７３４０４号公報
【発明の概要】
【発明が解決しようとする課題】
【０００５】
特許文献１に記載の光学素子にあっては、環境温度の変化のときに発生する応力を緩和する応力緩和部をフランジ部に備える。
しかし、上述したように、微小径のレンズではフランジ部を殆ど構成することができないから、このような応力緩和部を構成することは困難である。
特許文献２に記載のレンズユニットにあっては、鏡枠（鏡筒）に軸方向にスリットを形成し、レンズの熱膨張によりスリットの間隔が広がるように構成されている。
しかし、内視鏡用途では、鏡枠の内部を気密・水密に構成しなければならず、スリットの採用は難しい。
【０００６】
本発明は以上の従来技術における問題に鑑みてなされたものであって、レンズが鏡枠に挿着されてなるレンズ鏡胴において、レンズの大径化や鏡枠の強度低下を招かず、気密・水密構造を壊さずに鏡枠を拡径、収径変形しやすい構造に構成して、環境温度や接着剤の固化収縮等に原因して起こり得るレンズの光学的性質の変化を抑えることを課題とする。
【課題を解決するための手段】
【０００７】
以上の課題を解決するための請求項１記載の発明は、物体の像を結像するレンズと、前記レンズを内部に保持する筒状の鏡枠とを備えるレンズ鏡胴であって、
前記鏡枠は、少なくとも前記レンズを保持する範囲においてその内周面及び外周面のうちいずれか一方又は双方が、その表面上を中心軸回りに辿ったとき当該中心軸からの距離が変化する形状に形成されたレンズ鏡胴である。
【０００８】
請求項２記載の発明は、前記鏡枠の前記内周面と前記レンズの外周面との間に接着剤が充填されている請求項１に記載のレンズ鏡胴である。
【０００９】
請求項３記載の発明は、前記距離の変化に伴い前記鏡枠の肉厚が変化する形状に形成された請求項１又は請求項２に記載のレンズ鏡胴である。
【００１０】
請求項４記載の発明は、前記鏡枠の内周面に対する均一な内圧又は前記鏡枠の外周面に対する均一な外圧の負荷に伴い、前記距離が変化する部位の曲げ変形が生じこれにより周方向に伸縮することで前記鏡枠の前記内周面が拡径、収径する機械的特性に構成された請求項１から請求項３のうちいずれか一に記載のレンズ鏡胴である。
【００１１】
請求項５記載の発明は、前記鏡枠の前記内周面と前記レンズの外周面との間に充填された接着剤の固化収縮に伴い、前記距離が変化する部位の曲げ変形が生じこれにより周方向に収縮することで前記鏡枠の前記内周面が収径する機械的特性に構成された請求項１から請求項３のうちいずれか一に記載のレンズ鏡胴である。
【００１２】
請求項６記載の発明は、前記鏡枠の前記内周面と前記レンズの外周面との間に接着剤が充填されてなり、当該接着剤の固化収縮によって前記鏡枠に生じた応力が部位によって異なって分布している請求項１から請求項５のうちいずれか一に記載のレンズ鏡胴である。
【００１３】
請求項７記載の発明は、前記鏡枠の前記内周面と前記レンズの外周面との間に接着剤が充填されてなり、当該接着剤の固化収縮によって前記鏡枠に生じた応力が部位によらず等しく分布している請求項１から請求項５のうちいずれか一に記載のレンズ鏡胴である。
【００１４】
請求項８記載の発明は、前記距離が一定である前記中心軸回りの角度範囲を３６０°未満で有し、前記距離の変化がある角度範囲が局所的である形状に形成された請求項１から請求項７のうちいずれか一に記載のレンズ鏡胴である。
【００１５】
請求項９記載の発明は、前記中心軸回りの３６０°の角度範囲に亘り前記距離の変化がある形状に形成された請求項１から請求項７のうちいずれか一に記載のレンズ鏡胴である。
【００１６】
請求項１０記載の発明は、前記距離が変化する形状は、前記中心軸方向の全長に亘って形成されている請求項１から請求項９のうちいずれか一に記載のレンズ鏡胴である。
【００１７】
請求項１１記載の発明は、前記距離が変化する形状は、前記中心軸方向に稜線を有する折り目状又は波目状である請求項１から請求項１０のうちいずれか一に記載のレンズ鏡胴である。
【００１８】
請求項１２記載の発明は、前記レンズの外径が０．６ｍｍ以下に構成された請求項１から請求項１１のうちいずれか一に記載のレンズ鏡胴である。
【００１９】
請求項１３記載の発明は、前記レンズはプラスティックレンズである請求項１から請求項１２のうちいずれか一に記載のレンズ鏡胴である。
【００２０】
請求項１４記載の発明は、前記鏡枠は、前記プラスティックレンズの縦弾性係数より小さい縦弾性係数の材料で構成されている請求項１３に記載のレンズ鏡胴である。
【００２１】
請求項１５記載の発明は、前記鏡枠は、前記プラスティックレンズの横弾性係数より小さい横弾性係数の材料で構成されている請求項１３に記載のレンズ鏡胴である。
【００２２】
請求項１６記載の発明は、請求項１から請求項１５のうちいずれか一に記載のレンズ鏡胴を含み、
前記レンズによって結像される像が入力される像入力面が先端面に設けられた撮像ユニット又はイメージングファイバーが前記鏡枠に挿入され、当該像入力面が前記レンズに対向して配置されてなる像取得ユニットである。
【００２３】
請求項１７記載の発明は、外径が１．０ｍｍ以下に構成された請求項１６に記載の像取得ユニットである。
【発明の効果】
【００２４】
鏡枠の外周面と内周面とを同心円状に構成して肉厚も一定に構成すると、鏡枠の内周面に対する均一な内圧又は鏡枠の外周面に対する均一な外圧の負荷に伴い、周方向に圧縮又は引張応力が生じて比較的変形に耐えやすい。
これに対し本発明によれば、鏡枠は少なくともレンズを保持する範囲においてその内周面及び外周面のうちいずれか一方又は双方がその表面上を中心軸回りに辿ったとき中心軸からの距離が変化する形状に形成されているため、その距離が変化する部位は曲げモーメントが負荷され曲げ変形が生じる。曲げ変形が生じることで周方向の圧縮又は引張変形のみの場合に比較して周方向に顕著に伸縮する。周方向に伸縮するので鏡枠が拡径、収径する。したがって、環境温度や接着剤の固化収縮等があっても、以上のように鏡枠が拡径、収径することで、レンズに生じる応力を低く抑えて、レンズの光学的性質の変化を抑えることができる。
また、鏡枠が拡径、収径しやすいため、レンズの外周面に鏡枠を密着させて構成することが容易である。
【図面の簡単な説明】
【００２５】
【図１】本発明の一実施形態に係るレンズ鏡胴を含んだ像取得ユニットの分解斜視図である。
【図２】本発明の一実施形態に係るレンズ鏡胴の中心軸に垂直でレンズを通る断面図である。
【図３】本発明の一実施形態に係る鏡枠の中心軸に垂直な部分断面図である。なお、図２中の鏡枠と異なり、折り目の繰り返しを一単位に模式化したものである。
【図４】本発明の一実施形態に係り、他の４つの断面形状例を示すための鏡枠の斜視図である。
【図５】本発明の一実施形態に係り、さらに他の３つの断面形状例を示すための鏡枠の斜視図である。
【発明を実施するための形態】
【００２６】
以下に本発明の一実施形態につき図面を参照して説明する。以下は本発明の一実施形態であって本発明を限定するものではない。
【００２７】
図１に示すように像取得ユニット１００は、レンズ鏡胴１が撮像ユニット又はイメージングファイバー４０の先端部に冠着されて構成されるものである。レンズ鏡胴１は、物体の像を結像するレンズ１０と、レンズ１０を内部に保持する鏡枠２０とを備える。
レンズ１０は、先端側光学面（図示せず）及び後端側光学面１１を有し、後端側光学面１１が凸なレンズ面に形成された射出成型によるプラスティックレンズである。
【００２８】
レンズ１０の先端側光学面が先端方向に配置されて観察される物体に対向する。後端側光学面１１が後端方向に配置されて撮像ユニット又はイメージングファイバー４０の先端面に対向する。撮像ユニット又はイメージングファイバー４０の先端面に像入力面が設けられていることで、この像入力面がレンズ１０に対向して配置されている。要素４０が撮像ユニットである場合は、先端面にＣＣＤ等の撮像素子の像入力面が配置され、レンズ１０によって結像される像が当該像入力面に入力され電気信号に変換される。また、図示しないがその撮像素子の搭載基板から映像伝送ケーブルが後端方向に延出して構成される。要素４０がイメージングファイバーである場合は、先端面に像入射端面（像入力面）が配置され、レンズ１０によって結像される像が当該像入射端面に入力され後端方向へ伝送される。
【００２９】
レンズ１０は、直円柱の周面に射出成形により残ったゲート端１３が突出した態様の外周面１２を有する。勿論このようなゲート端１３が無く、外周面１２は直円柱の周面状に全周に亘って均一に成形されたものでもよい。
本像取得ユニット１００は、細径の内視鏡用途に構成されたもので、１．０ｍｍ以下の外径で構成されており、レンズ１０の外径は０．６ｍｍ以下で構成されている。鏡枠２０の肉厚ｔは０．１ｍｍ以下で構成されている。
レンズ１０は、後端側光学面１１の外方のフランジ部が非常に狭く形成されており、後端側光学面１１が外周面１２に近くなっている。
撮像ユニット又はイメージングファイバー４０の先端面と、レンズ１０の間の間隔は、スペーサー部材３０によって保持される。
レンズ１０及びスペーサー部材３０に加え、撮像ユニット又はイメージングファイバー４０の先端部が鏡枠２０に挿入されて保持され、これらの要素の相対位置が決まる。鏡枠２０は図示した長さのものに拘わらず、軸ＡＸ方向にさらに長尺に形成しても良い。
【００３０】
図２に示す鏡枠２０の内周面とレンズ１０の外周面１２との間に図示しない接着剤が充填されており、この接着剤によりレンズ１０は鏡枠２０に接着固定されている。また、接着剤が、鏡枠２０の内周面とレンズ１０の外周面との間に全周に亘って充填されていることで、レンズ鏡胴１は接着剤により隙間を封止して気密・水密に構成される。
【００３１】
鏡枠２０は筒状でレンズ１０を内部に保持する。鏡枠２０の中心軸をＡＸとする。
さらに鏡枠２０は以下の条件で構成されている。
（１）内周面を中心軸ＡＸ回りに辿ったとき中心軸ＡＸからの距離ｒが変化する形状に形成されている。
（２）外周面を中心軸ＡＸ回りに辿ったとき中心軸ＡＸからの距離Ｒが変化する形状に形成されている。
（３）肉厚ｔは一定である（距離Ｒ−距離ｒが一定である。）。
（４）距離ｒ及びＲが一定である中心軸ＡＸ回りの角度範囲２１を３６０°未満で有し、距離ｒ及びＲの変化がある角度範囲２２が局所的である。
（５）距離ｒ及びＲが変化する形状は、中心軸ＡＸ方向の全長に亘って形成されている。
（６）距離ｒ及びＲが変化する形状は、中心軸ＡＸ方向に稜線を有する折り目状である。
【００３２】
上記（５）に拘わらず、距離ｒ又はＲが変化する形状は、中心軸ＡＸ上のレンズ１０を保持する範囲に限定して構成してもよい。レンズ１０を保持する範囲は、中心軸ＡＸを座標軸として外周面１２が配置される範囲である。レンズ１０を保持する範囲については、全体に亘って距離ｒ又はＲが変化する形状を形成する。また鏡枠２０の拡径、収径によるレンズ１０の光学的性質の保護効果を十分に得るため、距離ｒ又はＲが変化する形状を、レンズ１０を保持する範囲外に延長するように連続して形成することが好ましい。
【００３３】
鏡枠の外周面と内周面とを同心円状に構成して肉厚も一定に構成すると、鏡枠の内周面に対する均一な内圧又は鏡枠の外周面に対する均一な外圧の負荷に伴い、周方向の圧縮又は引張応力が生じて比較的変形に耐えやすい。
これに対し本実施形態の鏡枠２０によれば、図３に示すように、接着剤の固化収縮により負圧である内圧Ｐが生じたとき、距離ｒ及びＲが変化する部位２３は曲げモーメントＭが負荷され曲げ変形が生じる。このとき、接着剤の固化収縮によって鏡枠２０に生じた応力が部位によって異なって分布している。応力は距離ｒ及びＲが変化する部位２３に集中しており、この部位２３での歪がアーチ状の他の部位のそれに比較して大きい。鏡枠２０は曲げ変形が生じることで周方向の圧縮又は引張変形のみの場合に比較して周方向に顕著に収縮する。周方向に収縮するので鏡枠２０が収径する。したがって、接着剤の固化収縮に追従して鏡枠２０が収径し、レンズ１０に生じる応力が低く抑えられ、レンズ１０の光学的性質の変化が抑えられている。なお、以上の曲げは、中心軸ＡＸ方向を中立軸とする曲げであり、中心軸ＡＸ自体が曲がる変形についてのものではない。
【００３４】
なお、鏡枠２０の外圧と内圧との差が内向きであれば鏡枠２０は周方向に収縮して収径し、外向きであれば鏡枠２０は周方向に伸張して拡径する。したがって、接着剤の固化収縮の原因以外の環境温度変化、膨張係数差等に起因して起こり得るレンズに生じる応力を低く抑えて、レンズの光学的性質の変化を抑えることができる。
【００３５】
同様の目的で、鏡枠２０はレンズ１０の縦弾性係数より小さい縦弾性係数の材料で構成することが好ましく、レンズ１０の横弾性係数より小さい横弾性係数の材料で構成することが好ましい。
【００３６】
〔断面形状例〕
次に、鏡枠２０の断面形状の様々な例を開示する。
【００３７】
図４(a)に示す鏡枠２０Ａは以下の条件で構成されている。
（Ａ１）内周面を中心軸ＡＸ回りに辿ったとき中心軸ＡＸからの距離ｒが変化する形状に形成されている。
（Ａ２）外周面を中心軸ＡＸ回りに辿ったとき中心軸ＡＸからの距離Ｒが変化する形状に形成されている。
（Ａ３）肉厚ｔは一定である（距離Ｒ−距離ｒが一定である。）。
（Ａ４）距離ｒ及びＲが一定である中心軸ＡＸ回りの角度範囲を３６０°未満で有し、距離ｒ及びＲの変化がある角度範囲が局所的である。
（Ａ５）距離ｒ及びＲが変化する形状は、中心軸ＡＸ方向の全長に亘って形成されている。
（Ａ６）距離ｒ及びＲが変化する形状は、中心軸ＡＸ方向に稜線を有する波目状である。
【００３８】
上記（Ａ４）に拘わらず、距離ｒ及びＲの変化がある角度範囲２２を３６０°、すなわち、全周として、均一な波目を形成することにより、接着剤の固化収縮によって鏡枠に生じた応力が部位によらず等しく分布しているものとすることができる。これにより局所的応力集中による鏡枠の破壊強度の低下を防止できる。
【００３９】
図４(b)に示す鏡枠２０Ｂは以下の条件で構成されている。
（Ｂ１）内周面を中心軸ＡＸ回りに辿ったとき中心軸ＡＸからの距離ｒが変化する形状に形成されている。
（Ｂ２）外周面を中心軸ＡＸ回りに辿ったとき中心軸ＡＸからの距離Ｒが変化しない形状に形成されている。
（Ｂ３）肉厚ｔは変化する（距離Ｒ−距離ｒが変化する。）
（Ｂ４）距離ｒ及びＲが一定である中心軸ＡＸ回りの角度範囲を３６０°未満で有し、距離ｒの変化がある角度範囲が局所的である。
（Ｂ５）距離ｒが変化する形状は、中心軸ＡＸ方向の全長に亘って形成されている。
【００４０】
さらに補足すると、鏡枠２０Ｂは、その内周面に中心軸ＡＸと平行な方向に長く形成された矩形状の凹部２４を９０度ごとに１本有し、断面形状が９０度ごとに回転対称である。なお、上記鏡枠２０、２０Ａの断面形状は回転対称性を有さない。
他の断面形状例も含め肉厚が変化する場合は、最小肉厚を最大肉厚の９０％以下とすることが好ましい。
【００４１】
図４(c)に示す鏡枠２０Ｃは以下の条件で構成されている。
（Ｃ１）内周面を中心軸ＡＸ回りに辿ったとき中心軸ＡＸからの距離ｒが変化しない形状に形成されている。
（Ｃ２）外周面を中心軸ＡＸ回りに辿ったとき中心軸ＡＸからの距離Ｒが変化する形状に形成されている。
（Ｃ３）肉厚ｔは変化する（距離Ｒ−距離ｒが変化する。）
（Ｃ４）距離ｒ及びＲが一定である中心軸ＡＸ回りの角度範囲を３６０°未満で有し、距離Ｒの変化がある角度範囲が局所的である。
（Ｃ５）距離Ｒが変化する形状は、中心軸ＡＸ方向の全長に亘って形成されている。
【００４２】
さらに補足すると、鏡枠２０Ｃは、その外周面に中心軸ＡＸと平行な方向に長く形成された略半円状の凹部２５を９０度ごとに１本有し、断面形状が９０度ごとに回転対称である。
【００４３】
図４(d)に示す鏡枠２０Ｄは以下の条件で構成されている。
（Ｄ１）内周面を中心軸ＡＸ回りに辿ったとき中心軸ＡＸからの距離ｒが変化する形状に形成されている。
（Ｄ２）外周面を中心軸ＡＸ回りに辿ったとき中心軸ＡＸからの距離Ｒが変化する形状に形成されている。
（Ｄ３）肉厚ｔは一定である（距離Ｒ−距離ｒが一定である。）。
（Ｄ４）距離ｒ及びＲが一定である中心軸ＡＸ回りの角度範囲を３６０°未満で有し、距離ｒ及びＲの変化がある角度範囲が局所的であり、相対する２箇所に局所的に設けられている。
（Ｄ５）距離ｒ及びＲが変化する形状は、中心軸ＡＸ方向の全長に亘って形成されている。
（Ｄ６）距離ｒ及びＲが変化する形状は、中心軸ＡＸ方向に稜線を有する折り目状である。
なお、鏡枠２０Ｄの断面形状は回転対称性を有さない。
【００４４】
図５(a)に示す鏡枠２０Ｅは以下の条件で構成されている。
（Ｅ１）内周面を中心軸ＡＸ回りに辿ったとき中心軸ＡＸからの距離ｒが変化する形状に形成されている。
（Ｅ２）外周面を中心軸ＡＸ回りに辿ったとき中心軸ＡＸからの距離Ｒが変化しない形状に形成されている。
（Ｅ３）肉厚ｔは変化する（距離Ｒ−距離ｒが変化する。）。
（Ｅ４）距離ｒの変化がある角度範囲が３６０°である。
（Ｅ５）距離ｒが変化する形状は、中心軸ＡＸ方向の全長に亘って形成されている。
（Ｅ６）距離ｒが変化する形状は、中心軸ＡＸ方向に稜線を有する波目状である。
なお、鏡枠２０Ｅの断面形状は上記（Ｅ６）の波目のピッチごとに形状が一致する回転対称性を有する。
【００４５】
図５(b)に示す鏡枠２０Ｆは、上記（Ｂ１）〜（Ｂ６）の条件を満たすことに加え、その内周面に中心軸ＡＸと平行な方向に長く形成された楔状の凹部２６を９０度ごとに１本有し、断面形状が９０度ごとに回転対称である。
【００４６】
図５(c)に示す鏡枠２０Ｇは、上記（Ｂ１）〜（Ｂ６）の条件を満たすことに加え、その内周面に中心軸ＡＸと平行な方向に長く形成されたラウンド状の凹部２７を９０度ごとに１本有し、断面形状が９０度ごとに回転対称である。
【００４７】
上に挙げた形状例やその条件を参考に、組み合わせ、溝数の増減、その他の変形を行って様々な形状を実施することができる。
【符号の説明】
【００４８】
１     レンズ鏡胴
１０   レンズ
１１   後端側光学面
１２   外周面
１３   ゲート端
２０   鏡枠
４０   撮像ユニット又はイメージングファイバー
１００ 像取得ユニット
ＡＸ   中心軸
Ｍ     モーメント
Ｐ     内圧
Ｒ     外周面の距離
ｒ     内周面の距離
ｔ     肉厚
【図１】
2014112121.tif 000003
【図２】
2014112121.tif 000004
【図３】
2014112121.tif 000005
【図４】
2014112121.tif 000006
【図５】
2014112121.tif 000007